(57)【要約】【課題】法枠２１の補強材を法面上で組立て可能にするとともに、景観上の要請に応える。【解決手段】法面に敷設するラス金網Ｒ上に左右一対の補強金網１１、１１を立てて縦横の格子状に配設し、コンクリートモルタルを吹付けして法枠２１を形成する。  法枠２１の各区画内に植生用の客土基盤２２を形成し、客土基盤２２上に植物が成長することにより法枠２１を隠蔽する。【選択図】図１
2005061144.tif 000002
【特許請求の範囲】
【請求項１】
法面に敷設するラス金網上にスペーサ金具を介して左右一対の補強金網を立てて縦横の格子状に配設し、補強金網を埋めて両外側を覆うようにコンクリートモルタルを吹付けして法枠を形成し、コンクリートモルタルの固化後、法枠の各区画内に植生用の客土基盤を形成することを特徴とする法面の緑化工法。
【請求項２】
客土基盤の厚さを法枠の最大高さの５０〜９５％にすることを特徴とする請求項１記載の法面の緑化工法。
【請求項３】
補強金網の間には、ラス金網から浮かせて補強鉄筋を配置することを特徴とする請求項１または請求項２記載の法面の緑化工法。
【請求項４】
補強鉄筋は、法面に打ち込むアンカ鉄筋により支持し、スペーサ金具に連結することを特徴とする請求項３記載の法面の緑化工法。
【発明の詳細な説明】
【技術分野】
【０００１】
この発明は、緩傾斜の法面を緑化して良好な景観を実現することができる法面の緑化工法に関する。
【背景技術】
【０００２】
法面にコンクリート製の法枠を格子状に形成し、法枠内の各区画を緑化する法面の保護工法が広く採用されている。
【０００３】
なお、近年では、法枠の無機質な景観を少しでも緩和したいとの要請が強いため、法枠の断面形状を従来のかまぼこ形からたとえば二等辺三角形に変更する提案がなされている（特許文献１）。このものは、溶接金網やエキスパンドメタルからなる帯状の底辺部材、斜辺部材を三角柱状に組み合わせて法枠の補強材とし、補強材を埋め込むようにしてコンクリートモルタルを吹付け施工することににより、断面二等辺三角形の法枠を形成することができる。
【特許文献１】特開２００３−４９４３４号公報
【発明の開示】
【発明が解決しようとする課題】
【０００４】
かかる従来技術によるときは、底辺部材、斜辺部材を組み合わせる補強材は、それ自体の重量が大きいため、法面上の定位置に設置する設置工事が容易でないという問題があった。補強材は、法面上で組み立てることが難しく、法面の下の平地において底辺部材、斜辺部材を三角柱状に一体に組み立てた上、法面上に引き上げて設置する必要があるからである。
【０００５】
そこで、この発明の目的は、かかる従来技術の問題に鑑み、法枠の補強材を法面上で組立て可能に簡単化するとともに、景観上の要請にも有効に対処することができる法面の緑化工法を提供することにある。
【課題を解決するための手段】
【０００６】
かかる目的を達成するためのこの発明の構成は、法面に敷設するラス金網上にスペーサ金具を介して左右一対の補強金網を立てて縦横の格子状に配設し、補強金網を埋めて両外側を覆うようにコンクリートモルタルを吹付けして法枠を形成し、コンクリートモルタルの固化後、法枠の各区画内に植生用の客土基盤を形成することをその要旨とする。
【０００７】
なお、客土基盤の厚さを法枠の最大高さの５０〜９５％にすることができる。
【０００８】
また、補強金網の間には、ラス金網から浮かせて補強鉄筋を配置してもよく、補強鉄筋は、法面に打ち込むアンカ鉄筋により支持し、スペーサ金具に連結してもよい。
【発明の効果】
【０００９】
かかる発明の構成によるときは、左右一対の補強金網は、法枠の補強材を形成するが、スペーサ金具を介して法面上のラス金網上に立てるので、法面上において簡便に組み立てて設置することができる。なお、補強金網は、たとえば横線、縦線の直径がそれぞれ２．３mm、２．６mm、横線、縦線のピッチがそれぞれ２０mm、２８mmの軽量な自立可能な格子網を幅１０cm、長さ１ｍの帯状の単位部材として１枚ずつ使用し、スペーサ金具を介して互いの間隔約１０cmに立てることにより、幅１５０mm、最大高さ１１０〜１１５mmの断面略長方形の法枠を作ることができる。ただし、補強金網の間隔約１５cmとして、法枠の幅２００mmとすることも可能である。
【００１０】
このような法枠は、内部に１〜２本の補強鉄筋を配置し、縦横のピッチを１〜１．５ｍの正方形の格子状に構成することにより、勾配１：０．５以下の緩傾斜の法面に対し、十分な法面の保護強度を発揮することができる。なお、法枠の各区画内には、植生用の客土基盤を形成し、客土基盤上に植物が成長すると、植物によって法枠が隠蔽され、法枠が殆ど目立たない自然な景観を実現することができる。
【００１１】
法枠の各区画内に形成する客土基盤の厚さは、法枠の最大高さの５０〜９５％にすることが好ましい。５０％未満では、客土基盤上の植物の成長が遅く、９５％超では、降雨などにより客土基盤が法枠を越えて流失するおそれがある。
【００１２】
補強金網の間に補強鉄筋を配置すれば、法枠の強度を高め、法面の保護強度を向上させることができる。なお、補強鉄筋は、直径１０〜１６mmのものを１本または２本使用するものとする。
【００１３】
補強鉄筋は、法面に打ち込むアンカ鉄筋により、ラス金網から浮かせて支持し、スペーサ金具に連結することにより、法枠内のほぼ中間の高さ位置に安定に配置することができる。ただし、アンカ鉄筋は、法枠の各交差部分に配置する他、法枠の各枝の中間に対しても、法枠のピッチ１ｍのときは１本づつ、法枠のピッチ１ｍ超のときは２本づつの補助アンカ鉄筋を併用することが好ましい。
【発明を実施するための最良の形態】
【００１４】
以下、図面を以って発明の実施の形態を説明する。
【００１５】
法面の緑化工法は、法面上に敷設するラス金網Ｒ上に左右一対の補強金網１１、１１を立てて格子状に配設し、コンクリートモルタルを吹付けして法枠２１を形成し、法枠２１の各区画内に植生用の客土基盤２２を形成して実施する（図１（Ａ）〜（Ｄ））。ただし、図１（Ａ）〜（Ｄ）は、施工順序を示す模式図である。
【００１６】
施工順序の概要を説明すると、まず、法面上にラス金網Ｒを敷設する（図１（Ａ））。ただし、ラス金網Ｒは、図示しないアンカピンを介し、過大な緩みを生じないように法面上に張るようにして固定するものとする。
【００１７】
つづいて、ラス金網Ｒ上に補強鉄筋１２、１２…を縦横の格子状に配設する。補強鉄筋１２、１２…は、各交差部分において、法面に打ち込むアンカ鉄筋１３、１３…を介し、ラス金網Ｒから浮かせて支持する。
【００１８】
次に、補強鉄筋１２の両側に、スペーサ金具１４、１４…を介して左右一対の補強金網１１、１１を平行に立てる（図１（Ｂ）、図２）。各スペーサ金具１４は、太径の鉄線を縦横に溶接して構成し、水平部分の左右の両端を折り曲げて補強金網１１、１１に連結するとともに、結束線を介して中央部を補強鉄筋１２に連結する。補強金網１１、１１…は、法面上において、縦横のピッチ１〜１．５ｍの正方形の格子状に配設する。
【００１９】
つづいて、補強金網１１、１１…が形成する各区画内に保護シート１５を配置した上（図１（Ｃ））、吹付けノズルＫ1 を介し、補強金網１１、１１を埋め込んで両外側を覆うようにコンクリートモルタルを吹付けして、格子状の法枠２１を形成する。なお、法枠２１は、補強金網１１、１１の両外側をこて仕上げし、上面中央部をやや高くして、幅ｂ、最大高さｈの略長方形に形成する（図３）。ただし、幅ｂ＝１５０〜２００mm、最大高さｈ＝１１０〜１１５mmとする。そこで、法枠２１内において、補強金網１１、１１は、法枠２１の両側面の直近の内側に位置し、補強鉄筋１２は、法枠２１の天端から少なくとも４０mm以上下がって、法枠２１のほぼ中央部に位置する。
【００２０】
コンクリートモルタルが固化したら、各区画内の保護シート１５を除去した上、吹付けノズルＫ2 を介し、法枠２１の各区画内に植生用の客土基盤２２を形成する（図１（Ｄ）、図３）。客土基盤２２の厚さｄは、法枠２１の最大高さｈに対し、ｄ＝０．５ｈ〜０．９５ｈとするのがよい。客土基盤２２には、適量の肥料、種子を混入し、植物の早期の発芽、生長を促すことができる。そこで、法枠２１の各区画内の客土基盤２２上に植物が育成されると、法枠２１は、植物により隠蔽され、自然な景観を速やかに実現することができる。
【００２１】
以上の説明において、アンカ鉄筋１３、１３…は、補強鉄筋１２、１２…の各交差部分に設ける他、法枠２１の各枝の中間に配設する補助アンカ鉄筋１３ａ、１３ａ…を併用してもよい（図４）。各枝の中間の補助アンカ鉄筋１３ａは、法枠２１のピッチ１ｍのとき、各枝ごとに１本とし、法枠２１のピッチ１ｍ超のとき、各枝ごとに２本とする。各アンカ鉄筋１３、補助アンカ鉄筋１３ａは、それぞれ直径１６mm長さ５０cm、直径１０mm長さ４０cm程度のサイズでよい。
【００２２】
スペーサ金具１４は、法枠２１の長手方向にコンクリートモルタルを不用意に分断しない限り、水平部分を介して左右一対の補強金網１１、１１の間隔を適切に規制し得るように、また、１〜２本の補強鉄筋１２を固定して連結し易いように、縦横の鉄線を組み合わせて任意の形状に形成することができる（図５（Ａ）〜（Ｃ））。なお、スペーサ金具１４は、縦横の鉄線の交差部分に各補強鉄筋１２を固定して連結し得るように形成されている。
【図面の簡単な説明】
【００２３】
【図１】施工順序説明図
【図２】図１（Ｂ）の要部拡大斜視図
【図３】法枠の横断面図
【図４】他の実施の形態を示す平面模式図
【図５】他の実施の形態を示す図３相当説明図
【符号の説明】
【００２４】
Ｒ…ラス金網
ｄ…厚さ
ｈ…最大高さ
１１…補強金網
１２…補強鉄筋
１３…アンカ鉄筋
１４…スペーサ金具
２１…法枠
２２…客土基盤
特許出願人          石川防災株式会社
代理人  弁理士        松  田  忠  秋
【図１】
2005061144.tif 000003
【図２】
2005061144.tif 000004
【図３】
2005061144.tif 000005
【図４】
2005061144.tif 000006
【図５】
2005061144.tif 000007